(57)【要約】【課題】オフリーク電流の影響を軽減できる定電流回路を有する時計の提供。【解決手段】時計は、高電位側電源である第１電源と、低電位側電源である第２電源との間に、直列に接続された複数のトランジスターと、トランジスター毎に設けられて、トランジスターの第１電源側の端子と第１電源とをそれぞれ接続する複数の接続配線と、複数の接続配線うち、１本の接続配線に未切断状態で設けられた未切断の選択用ヒューズと、残りの接続配線に切断状態で設けられた切断済みと、を有する定電流回路を備える。【選択図】図３
2020169912.tif 000002
【特許請求の範囲】
【請求項１】
高電位側電源および低電位側電源の一方の電源である第１電源と、前記高電位側電源および前記低電位側電源の他方の電源である第２電源との間に、直列に接続された複数のトランジスターと、
前記トランジスター毎に設けられて、各前記トランジスターの前記第１電源側の端子と前記第１電源とをそれぞれ接続する複数の接続配線と、
前記複数の接続配線のうち、１本の接続配線に、未切断状態で設けられた未切断ヒューズと、
前記複数の接続配線のうち、前記１本以外の残りの接続配線に、切断状態で設けられた切断済みヒューズと、
を有する定電流回路を備えることを特徴とする時計。
【請求項２】
高電位側電源および低電位側電源の一方の電源である第１電源と、前記高電位側電源および前記低電位側電源の他方の電源である第２電源との間に、直列に接続された複数の抵抗と、
前記抵抗毎に設けられて、各前記抵抗の前記第１電源側の端子と前記第１電源とをそれぞれ接続する複数の接続配線と、
前記複数の接続配線のうち、１本の接続配線に、未切断状態で設けられた未切断ヒューズと、
前記複数の接続配線のうち、前記１本以外の残りの接続配線に、切断状態で設けられた切断済みヒューズと、
を有する定電流回路を備えることを特徴とする時計。
【請求項３】
請求項１または請求項２に記載の時計において、
前記定電流回路は、
各前記接続配線を切断状態および接続状態に切り替え可能な模擬切断用トランジスターを備える
ことを特徴とする時計。
【請求項４】
請求項１から請求項３のいずれか一項に記載の時計において、
前記定電流回路は、
前記未切断ヒューズおよび前記切断済みヒューズと、前記第２電源との間をそれぞれ接続する複数の切断判定配線を備え、
各前記切断判定配線には、切断判定用トランジスターが接続されている
ことを特徴とする時計。
【請求項５】
請求項１から請求項４のいずれか一項に記載の時計において、
前記定電流回路から出力される定電流が入力されて定電圧を出力する定電圧回路と、
前記定電圧回路から出力される前記定電圧によって駆動される発振回路と、を備える
ことを特徴とする時計。
【発明の詳細な説明】
【技術分野】
【０００１】
本発明は、定電流回路を備える時計に関する。
【背景技術】
【０００２】
特許文献１に示すように、直列に接続された抵抗ラダーの複数のタップを選択するスイッチ回路と、このスイッチ回路の動作を制御するトリミング回路とを備える定電流回路が知られている。
スイッチ回路は、通常、トランジスターで構成され、トリミング回路のデコーダーによっていずれか１つのスイッチを選択してオンし、他のスイッチをオフすることで、抵抗ラダーの抵抗値を変更し、定電流回路で発生させる定電流を調整している。
【先行技術文献】
【特許文献】
【０００３】
【特許文献１】特開平１１−３４６１２７号公報
【発明の概要】
【発明が解決しようとする課題】
【０００４】
スイッチ回路のトランジスターは高温になるほどオフリーク電流が大きくなり、このオフリーク電流は製造ばらつきによっては数１００ｐＡ程度になることもある。このため、従来の定電流回路では、スイッチ回路用のトランジスターのオフリーク電流によって定電流が変動する。特に、数ｎＡ程度の微少な定電流を供給する時計用の定電流回路では、オフリーク電流の影響が大きくなるという課題がある。
【課題を解決するための手段】
【０００５】
本開示の時計は、高電位側電源および低電位側電源の一方の電源である第１電源と、前記高電位側電源および前記低電位側電源の他方の電源である第２電源との間に、直列に接続された複数のトランジスターと、前記トランジスター毎に設けられて、各前記トランジスターの前記第１電源側の端子と前記第１電源とをそれぞれ接続する複数の接続配線と、前記複数の接続配線のうち、１本の接続配線に、未切断状態で設けられた未切断ヒューズと、前記複数の接続配線のうち、前記１本以外の残りの接続配線に、切断状態で設けられた切断済みヒューズと、を有する定電流回路を備えることを特徴とする。
【０００６】
本開示の時計は、高電位側電源および低電位側電源の一方の電源である第１電源と、前記高電位側電源および前記低電位側電源の他方の電源である第２電源との間に、直列に接続された複数の抵抗と、前記抵抗毎に設けられて、各前記抵抗の前記第１電源側の端子と前記第１電源とをそれぞれ接続する複数の接続配線と、前記複数の接続配線のうち、１本の接続配線に、未切断状態で設けられた未切断ヒューズと、前記複数の接続配線のうち、前記１本以外の残りの接続配線に、切断状態で設けられた切断済みヒューズと、を有する定電流回路を備えることを特徴とする。
【０００７】
本開示の時計において、前記定電流回路は、各前記接続配線を切断状態および接続状態に切り替え可能な模擬切断用トランジスターを備えることが好ましい。
【０００８】
本開示の時計において、前記定電流回路は、前記未切断ヒューズおよび前記切断済みヒューズと、前記第２電源との間をそれぞれ接続する複数の切断判定配線を備え、各前記切断判定配線には、切断判定用トランジスターが接続されていることが好ましい。
【０００９】
本開示の時計において、前記定電流回路から出力される定電流が入力されて定電圧を出力する定電圧回路と、前記定電圧回路から出力される前記定電圧によって駆動される発振回路と、を備えるものでもよい。
【図面の簡単な説明】
【００１０】
【図１】第１実施形態の時計を示す正面図。
【図２】第１実施形態の時計のムーブメントを示すブロック図。
【図３】第１実施形態のムーブメントの定電流回路を示す回路図。
【図４】第２実施形態の定電流回路を示す回路図。
【図５】第３実施形態の定電流回路を示す回路図。
【図６】第４実施形態の定電流回路を示す回路図。
【図７】第５実施形態の時計のムーブメントを示すブロック図。
【発明を実施するための形態】
【００１１】
〔第１実施形態〕
以下、本開示の第１実施形態の時計１を図面に基づいて説明する。
図１において、時計１は、ユーザーの手首に装着される電子腕時計であり、外装ケース２と、円板状の文字板３と、図示略のムーブメントと、図２にも示すように、ムーブメント内に設けられたステップモーター１３で駆動される指針である秒針５、分針６、時針７と、操作部材であるりゅうず８およびボタン９とを備える。
【００１２】
図２において、時計１は、基準信号源である水晶振動子１１と、電池などの電源１２と、指針である秒針５、分針６、時針７を駆動するステップモーター１３と、ステップモーター１３を制御する時計用のＩＣ２０とを備えている。
秒針５、分針６、時針７は、図示略の輪列で連動しており、ステップモーター１３により駆動され、秒、分、時を表示する。なお、本実施形態では、１つのステップモーター１３で、秒針５、分針６、時針７を駆動しているが、例えば、秒針５を駆動するモーターと、分針６および時針７を駆動するモーターのように複数のモーターを設けてもよい。
【００１３】
ＩＣ２０は、発振回路２１、分周回路２２、モーターパルス形成回路２３、およびモーターパルス出力回路２４を有する。
発振回路２１は、基準信号源である水晶振動子１１を高周波発振させ、この高周波発振で発生する所定周波数の発振信号を分周回路２２に出力する。
分周回路２２は、発振回路２１の出力を分周してモーターパルス形成回路２３にタイミング信号つまりクロック信号を供給する。
モーターパルス形成回路２３は、モーターパルス出力回路２４を介してステップモーター１３に駆動電流を供給して秒針５、分針６、時針７の駆動を制御する。
【００１４】
ＩＣ２０は、発振回路２１に必要な定電圧を出力する定電圧回路２５と、定電圧回路２５に必要な定電流を出力する定電流回路２６と、を備えている。
このうち、定電圧回路２５は、定電流回路２６から出力される定電流が入力されることで定電圧を出力する既存の構成である。一方、定電流回路２６は、本開示に基づいてオフリーク電流の解消ないし低減が図られたものである。
【００１５】
図３において、定電流回路２６は、高電位側電源である第１電源３１と、低電位側電源である第２電源３２とに接続される。第１電源３１は、電源１２から直流電圧ＶＤＤが供給され、第２電源３２は、電源１２から直流電圧ＶＳＳが供給される。
【００１６】
定電流回路２６は、カレントミラー回路３０と、調整用トランジスター群３３と、接続配線群３４と、選択用ヒューズ群３５と、模擬切断用トランジスター群３６と、切断判定用トランジスター群３７と、切断判定配線群３９とを備える。
カレントミラー回路３０は、第１電源３１および第２電源３２間に接続された２つの定電流化トランジスター３０１，３０２を備える。
調整用トランジスター群３３は、第１電源３１と定電流化トランジスター３０１との間に設置されて、直列に接続された複数の調整用トランジスター３３１〜３３９を備える。調整用トランジスター３３１〜３３９は、デプレッション型ＰＭＯＳトランジスターである。なお、図３では、調整用トランジスター３３１〜３３３，３３７〜３３９のみ表示され、他は図示省略されている。
【００１７】
接続配線群３４は、調整用トランジスター群３３と第１電源３１との間に設置され、調整用トランジスター３３１〜３３９毎に設けられて、各々の第１電源３１側の端子と第１電源３１とをそれぞれ接続する複数の接続配線３４１〜３４９を備える。なお、図３では、接続配線３４１〜３４３，３４８〜３４９のみ表示され、他は図示省略されている。
接続配線群３４には、選択用ヒューズ群３５および模擬切断用トランジスター群３６が設置されている。また、接続配線群３４には切断判定配線群３９が接続され、切断判定配線群３９には切断判定用トランジスター群３７が設置されている。
【００１８】
選択用ヒューズ群３５は、複数の選択用ヒューズ３５１〜３５９を備える。選択用ヒューズ３５１〜３５９は、それぞれ接続配線群３４の接続配線３４１〜３４９の第１電源３１と調整用トランジスター３３１〜３３９との間に配置されている。なお、図３では、選択用ヒューズ３５１〜３５３，３５８〜３５９のみ表示され、他は図示省略されている。
選択用ヒューズ３５１〜３５９のうち、１本の選択用ヒューズ３５３は未切断状態の未切断ヒューズであり、他は切断状態とされた切断済みヒューズである。
従って、複数の接続配線３４１〜３４９のうち、未切断の選択用ヒューズ３５３に対応する１本の接続配線３４３だけが導通を維持され、残りの接続配線３４１〜３４２，３４４〜３４９は導通が遮断されている。
【００１９】
模擬切断用トランジスター群３６は、それぞれ接続配線３４１〜３４９の選択用ヒューズ群３５と調整用トランジスター群３３との間に設置された模擬切断用トランジスター３６１〜３６９を有する。なお、図３では、模擬切断用トランジスター３６１〜３６３，３６８〜３６９のみ表示され、他は図示省略されている。
模擬切断用トランジスター３６１〜３６９は、外部信号を印加することで導通・遮断が切り替えられ、接続配線３４１〜３４９のうち対応するものの接続状態および切断状態を切り替え可能である。例えば、接続配線３４１において、選択用ヒューズ３５１が未切断であっても、模擬切断用トランジスター３６１を遮断状態とすることで、選択用ヒューズ３５１が切断された状態と同様に、接続配線３４１を模擬的に切断状態にできる。
【００２０】
切断判定配線群３９は、それぞれ接続配線３４１〜３４９の選択用ヒューズ群３５と模擬切断用トランジスター群３６との間から分岐して第２電源３２に接続される切断判定配線３９１〜３９９を有する。なお、図３では、切断判定配線３９１〜３９３，３９８〜３９９、切断判定用トランジスター３７１〜３７３，３７８〜３７９のみ表示され、他は図示省略されている。
切断判定用トランジスター群３７は、それぞれ切断判定配線３９１〜３９９に設置された切断判定用トランジスター３７１〜３７９を有する。なお、図３では、切断判定用トランジスター３７１〜３７３，３７８〜３７９のみ表示され、他は図示省略されている。
従って、切断判定用トランジスター３７１〜３７９は、それぞれ外部信号により導通状態とされた際には、対応する選択用ヒューズ３５１〜３５９が未切断である接続配線３４１〜３４９だけが導通することになり、選択用ヒューズ３５１〜３５９の切断・未切断を判定することができる。
【００２１】
本実施形態の定電流回路２６においては、次のような操作により出力電流の設定が行われる。
ＩＣ２０の製造段階において、定電流回路２６の選択用ヒューズ群３５は、複数の選択用ヒューズ３５１〜３５９がいずれも未切断の状態にある。そして、時計１への組み込みに先立って、所望の出力電流が得られるように調整される。
調整にあたっては、第１電源３１および第２電源３２から所定の電圧を供給し、出力電流を測定する。
当初の状態では、全ての選択用ヒューズ３５１〜３５９が未切断であり、全ての接続配線３４１〜３４９が導通される。
【００２２】
ここで、模擬切断用トランジスター群３６を用いて、接続配線３４１〜３４９の１本だけを導通させ、他を遮断状態とする。例えば、模擬切断用トランジスター３６２だけを導通させ、他を遮断させた場合、対応する接続配線３４２のみが導通され、調整用トランジスター３３２〜３３９の直列接続による電流が出力される。これらの接続配線３４１〜３４９の１本だけを導通させ、他を遮断状態とする模擬切断を順次行うことで、調整用トランジスター３３１〜３３９のうち、調整用トランジスター３３９側から直列に接続される調整用トランジスターの数を変更でき、所望の電流が得られるいずれかの選択を模擬的に行うことができる。
【００２３】
選択すべき接続配線３４１〜３４９のいずれかが判定できたら、選択用ヒューズ群３５において、選択用ヒューズ３５１〜３５９のうちいずれか一つを残して他を全て切断する。選択用ヒューズ群３５はアルミなどの配線材料で製造され、レーザー光照射などの手段で切断する。例えば、接続配線３４２を選択する場合、選択用ヒューズ３５２のみを未切断ヒューズとして残し、他を切断して切断ヒューズとする。
【００２４】
選択用ヒューズ群３５のヒューズ切断ができたら、切断判定用トランジスター群３７により、選択用ヒューズ３５１〜３５９の切断判定を行う。
切断判定用トランジスター３７１〜３７９は、それぞれ外部信号により導通状態とされた際に、対応する選択用ヒューズ３５１〜３５９が未切断である接続配線３４１〜３４９だけが導通と判定できる。これにより、切断すべき選択用ヒューズ３５１〜３５９が適切に切断されているかを判定できる。
【００２５】
出力電流が設定できたＩＣ２０は、時計１に組み込まれて通常の稼働状態とされる。時計１に組み込まれると、模擬切断用トランジスター３６１〜３６９は全て導通状態とされ、切断判定用トランジスター３７１〜３７９は全て遮断状態とされる。
模擬切断用トランジスター３６１〜３６９が全て導通状態とされても、選択用ヒューズ３５１〜３５９が一つを残して切断されており、切断状態の接続配線３４１〜３４９からオフリークが生じることはない。
切断判定用トランジスター３７１〜３７９は、選択用ヒューズ３５１〜３５９の切断判定用であって、電流を流す用途ではないため、能力が低く高温時でもオフリーク電流が小さいトランジスターを用いることができる。このため、切断判定用トランジスター３７１〜３７９は全て遮断状態としてもオフリーク電流による定電流への影響は殆どない。
【００２６】
このような本実施形態によれば、以下の効果が得られる。
本実施形態では、選択用ヒューズ群３５で、選択用ヒューズ３５１〜３５９の一つを残して切断することで、未切断の選択用ヒューズに対応した調整用トランジスター３３１〜３３９のいずれかが選択され、選択された調整用トランジスターに応じた所望の電流に調整することができる。
調整用トランジスター３３１〜３３９の選択に、選択用ヒューズ３５１〜３５９を用いるため、従来の選択用トランジスターのようなオフリーク電流が生じず、微弱な定電流を供給する時計用の定電流回路２６として好適である。
とくに、定電流回路２６では、リーク電流がない場合に出力される定電流は、温度に対して一定の傾きを持っているのに対し、リーク電流が加算された場合は、温度に対して一定の傾きではなく、高温ほど傾きが大きくなってしまう。このため、定電流回路の温度特性を管理できず、定電流回路を定電圧発生回路や感温発振回路などの定電流源として使用すると、それらの回路の温度特性も一定とならず、影響が大きくなる。
一方、本実施形態では、選択用ヒューズ３５１〜３５９を用いてオフリーク電流を解消することで、定電流回路２６から定電圧回路２５に供給される定電流の温度特性を安定させ、発振回路２１ないし時計１としての温度特性を安定させることができる。
【００２７】
本実施形態では、模擬切断用トランジスター３６１〜３６９を設け、選択用ヒューズ３５１〜３５９の切断を実行する前に模擬動作を行うことで、選択用ヒューズ３５１〜３５９の選択のためのヒューズ切断を適切に行うことができる。
本実施形態では、切断判定用トランジスター３７１〜３７９を設け、選択用ヒューズ３５１〜３５９の導通を検出することで、ヒューズ切断の結果を確認することができる。
【００２８】
〔第２実施形態〕
図４には、本開示の第２実施形態が示されている。
本実施形態において、時計１およびＩＣ２０の構成は第１実施形態と共通であり、重複する説明は省略する。相違点として、第１実施形態のＩＣ２０における定電流回路２６が、本実施形態では定電流回路２７となっている。
【００２９】
定電流回路２７は、第１実施形態の定電流回路２６と同様に、接続配線群３４、選択用ヒューズ群３５、模擬切断用トランジスター群３６、切断判定用トランジスター群３７、切断判定配線群３９を有する。これら共通の構成については、重複する説明を省略する。
相違点として、本実施形態では、第１実施形態の調整用トランジスター群３３に代えて、調整用抵抗素子群３８が設置され、第１実施形態のカレントミラー回路３０に代えて、カレントミラー回路３０Ａが設置されている。
カレントミラー回路３０Ａは、１組の定電流化トランジスター３０１、３０２に加えて、１組の定電流化トランジスター３０３、３０４を備える回路である。
【００３０】
調整用抵抗素子群３８は、調整用抵抗素子３８１〜３８９を直列接続したラダー抵抗である。なお、図４では、調整用抵抗素子３８１〜３８３，３８７〜３８９のみ表示され、他は図示省略されている。
接続配線群３４の接続配線３４１〜３４９は、調整用抵抗素子３８１〜３８９の第１電源３１側の端子と第１電源３１とを、それぞれ接続している。なお、図４では、接続配線３４１〜３４３，３４８〜３４９のみ表示され、他は図示省略されている。
【００３１】
このような本実施形態では、選択用ヒューズ３５１〜３５９の切断状態および未切断状態を選択して、調整用抵抗素子３８１〜３８９の直列接続数を調整することにより、定電流の調整が行える。また、接続配線３４１〜３４９の選択に選択用ヒューズ３５１〜３５９を用いるため、従来の選択用トランジスターのようなオフリーク電流が生じず、微弱な定電流を供給する時計用の定電流回路２７として好適である。
従って、本実施形態によっても、前述した第１実施形態と同様の効果を得ることができる。
【００３２】
〔第３実施形態〕
図５には、本開示の第３実施形態が示されている。
本実施形態において、時計１およびＩＣ２０の構成は第１実施形態と共通であり、重複する説明は省略する。相違点として、第１実施形態のＩＣ２０における定電流回路２６が、本実施形態では定電流回路２８となっている。
【００３３】
定電流回路２８は、第１実施形態の定電流回路２６と同様に、カレントミラー回路３０、調整用トランジスター群３３、接続配線群３４、選択用ヒューズ群３５を有する。これら共通の構成については、重複する説明を省略する。
一方、定電流回路２８には、模擬切断用トランジスター群３６、切断判定配線群３９、および切断判定用トランジスター群３７は設置されていない。
【００３４】
このような本実施形態では、調整用トランジスター３３１〜３３９の選択により、定電流の調整が行えるとともに、調整用トランジスター３３１〜３３９の選択に選択用ヒューズ３５１〜３５９を用いるため、従来の選択用トランジスターのようなオフリーク電流が生じず、微弱な定電流を供給する時計用の定電流回路２８として好適である。
一方、本実施形態では、第１実施形態のような模擬切断用トランジスター群３６による模擬切断、および切断判定用トランジスター群３７による切断判定は行えない。しかし、これらは選択用ヒューズ群３５の設定に用いられる機能であって、定電流回路２８としての性能に影響するものではない。これらの模擬切断機能および切断判定機能は、テスト時に第１電源３１、第２電源３２を供給するテスト回路によって、電源を供給する接続配線３４１〜３４９を選択することで実現できる。
従って、本実施形態によれば、模擬切断および切断判定の効果を除き、前述した第１実施形態と同様の効果を得ることができる。
【００３５】
〔第４実施形態〕
図６には、本開示の第４実施形態が示されている。
本実施形態において、時計１およびＩＣ２０の構成は第１実施形態と共通であり、重複する説明は省略する。相違点として、第１実施形態のＩＣ２０における定電流回路２６が、本実施形態では定電流回路２９となっている。
【００３６】
定電流回路２９は、第２実施形態の定電流回路２７と同様に、カレントミラー回路３０Ａ、接続配線群３４、選択用ヒューズ群３５、調整用抵抗素子群３８を有する。これら共通の構成については、重複する説明を省略する。
一方、定電流回路２９には、模擬切断用トランジスター群３６、切断判定配線群３９および切断判定用トランジスター群３７は設置されていない。
【００３７】
このような本実施形態では、調整用抵抗素子３８１〜３８９の選択により、定電流の調整が行えるとともに、調整用抵抗素子３８１〜３８９の選択に選択用ヒューズ３５１〜３５９を用いるため、従来の選択用トランジスターのようなオフリーク電流が生じず、微弱な定電流を供給する時計用の定電流回路２９として好適である。
一方、本実施形態では、第２実施形態のような模擬切断用トランジスター群３６による模擬切断、および切断判定用トランジスター群３７による切断判定は行えない。しかし、これらは選択用ヒューズ群３５の設定に用いられる機能であって、定電流回路２９としての性能に影響するものではない。これらの模擬切断機能および切断判定機能は、第３実施形態で説明したようにテスト回路で実現できる。
従って、本実施形態によれば、模擬切断および切断判定の効果を除き、前述した第２実施形態と同様の効果を得ることができる。
【００３８】
〔第５実施形態〕
図７には、本開示の第５実施形態が示されている。
前述した第１実施形態では、定電流回路２６を電子式腕時計である時計１に適用した。これに対し、本実施形態では、定電流回路２６が電子制御式機械時計である時計６０に適用されている。
【００３９】
図７において、時計６０は、機械的エネルギー源としてのぜんまい６１と、ぜんまい６１のトルクを伝達するエネルギー伝達装置としての増速輪列６２と、増速輪列６２に連結されて時刻表示を行う時刻表示装置６３と、増速輪列６２を介して伝達されるトルクで駆動される発電機兼調速機６４と、整流回路６５と、電源回路６６と、水晶振動子６７と、回転制御用のＩＣ７０とを備えている。
時刻表示装置６３は、図１の秒針５、分針６、時針７の各指針を含む。発電機兼調速機６４は、ぜんまい６１で駆動され、整流回路６５を介して電源回路６６で所定の直流電圧を発生させる。
【００４０】
ＩＣ７０は、制動制御回路７１、電圧検出回路７２、回転検出回路７３を有するとともに、第１実施形態と同様な発振回路２１、分周回路２２、定電圧回路２５、定電流回路２６を有する。
このうち、電圧検出回路７２は、電源回路６６の電圧を検出する。回転検出回路７３は、発電機兼調速機６４の回転を検出して制動制御回路７１に出力する。
制動制御回路７１は、回転検出回路７３からの回転検出信号、および電源回路６６からの検出電圧値を参照し、発電機兼調速機６４に調速用のチョッピング信号を出力する。
【００４１】
定電流回路２６は、電源回路６６を第１電源３１および第２電源３２とし、第１実施形態で説明した通りの設定により、温度特性が安定した定電流を出力する。安定した定電流により定電圧回路２５から温度特性が安定した定電圧が出力される。その結果、発振回路２１ないし分周回路２２から温度特性が安定した基準信号が出力され、この基準信号に基づいて制動制御回路７１が時計６０の調速制御を高精度で行うことができる。
【００４２】
このような本実施形態によっても、定電流回路２６を用いることで、第１実施形態で説明した通りの効果を得ることができる。
【００４３】
〔他の実施形態〕
なお、本開示は前述した実施形態に限定されるものではなく、本開示の目的を達成できる範囲での変形などは本開示に含まれる。
前記実施形態では、調整用トランジスター群３３、接続配線群３４、選択用ヒューズ群３５、模擬切断用トランジスター群３６、切断判定用トランジスター群３７、および調整用抵抗素子群３８に、それぞれ９系統の要素を配置したが、これらは８系統以下あるいは１０系統以上であってもよい。
【００４４】
前記実施形態では、調整用トランジスター群３３あるいは調整用抵抗素子群３８で調整された電流が入力されて定電流を生成するカレントミラー回路３０、３０Ａを用いたが、調整用トランジスター群３３あるいは調整用抵抗素子群３８により調整できれば定電流を生成する回路としては他の構成であってもよい。
【００４５】
前記実施形態において、第１実施形態および第２実施形態では模擬切断用トランジスター群３６および切断判定用トランジスター群３７をともに設置し、第３実施形態および第４実施形態では模擬切断用トランジスター群３６および切断判定用トランジスター群３７をともに省略したが、模擬切断用トランジスター群３６および切断判定用トランジスター群３７は一方だけ設置してもよい。
【００４６】
前記実施形態では、第１電源３１を高電位側電源とし、第２電源３２を低電位側電源としたが、これらは逆であってもよい。この場合、調整用トランジスター群３３、模擬切断用トランジスター群３６、切断判定用トランジスター群３７における各トランジスターは極性を反転させる等の対応を行えばよい。
前記第１〜４実施形態では、第１電源３１および第２電源３２を提供する電源１２として電池を用いたが、回転錘および発電機やソーラーセルなどの発電装置と、二次電池やコンデンサーなどの蓄電手段とを組み合わせた電源でもよい。
前記実施形態では、時計１は、ユーザーの手首に装着される腕時計であるとしたが、懐中時計であってもよく、据え置き式や設備組み込み式の時計であってもよい。
【符号の説明】
【００４７】
１…時計、２…外装ケース、３…文字板、５…秒針、６…分針、７…時針、８…りゅうず、９…ボタン、１１…水晶振動子、１２…電源、１３…ステップモーター、２０…ＩＣ、２１…発振回路、２２…分周回路、２３…モーターパルス形成回路、２４…モーターパルス出力回路、２５，２６，２７，２８，２９…定電流回路、３０，３０Ａ…カレントミラー回路、３０１，３０２，３０３，３０４…定電流化トランジスター、３１…第１電源、３２…第２電源、３３…調整用トランジスター群、３３１〜３３９…調整用トランジスター、３４…接続配線群、３４１〜３４９…接続配線、３５…選択用ヒューズ群、３５１〜３５９…選択用ヒューズ、３６…模擬切断用トランジスター群、３６１〜３６９…模擬切断用トランジスター、３７…切断判定用トランジスター群、３７１〜３７９…切断判定用トランジスター、３８…調整用抵抗素子群、３８１〜３８９…調整用抵抗素子、３９…切断判定配線群、３９１〜３９９…切断判定配線、６０…時計、６１…ぜんまい、６２…増速輪列、６３…時刻表示装置、６４…発電機兼調速機、６５…整流回路、６６…電源回路、６７…水晶振動子、７０…ＩＣ、７１…制動制御回路、７２…電圧検出回路、７３…回転検出回路。
【図１】
2020169912.tif 000003
【図２】
2020169912.tif 000004
【図３】
2020169912.tif 000005
【図４】
2020169912.tif 000006
【図５】
2020169912.tif 000007
【図６】
2020169912.tif 000008
【図７】
2020169912.tif 000009